(57)【要約】【課題】本発明は、制御手段と被制御手段との制御信号レベルを合わせるためのレベルシフタを用いることなく、制御手段および被制御手段に通常動作用の電源供給手段を共通化することができると共に、通常動作状態と動作待機状態との切り換えを最低限の素子にて構成可能する電子機器を提供することを課題とする。【解決手段】マイコン１から制御可能なスイッチ１４を介してマイコン１に通常動作用の電源を供給すると共に、周辺デバイス２に電源を供給する通常動作用電源供給回路３と、逆流防止用ダイオード８を介してマイコン１に動作待機用の電源を供給する動作待機用電源供給回路４とを設け、マイコン１は、通常動作状態では、スイッチ１４をオンさせて通常動作用電源供給回路３から電源の供給を受け、動作待機状態では、スイッチ１４をオフさせて動作待機用電源供給回路４から電源の供給を受ける。【選択図】        図１
2007293578.tif 000002
【特許請求の範囲】
【請求項１】
制御手段と、当該制御手段によって制御される被制御手段とを有し、前記制御手段が前記被制御手段の制御を行う通常動作状態と、前記制御手段が前記被制御手段の制御を停止した動作待機状態とに切り換え可能に構成されている電子機器であって、
前記制御手段から制御可能なスイッチを介して前記制御手段に通常動作用の電源を供給すると共に、前記被制御手段に電源を供給する通常動作用電源供給手段と、
逆流防止用ダイオードを介して前記制御手段に動作待機用の電源を供給する動作待機用電源供給手段とを具備し、
前記制御手段は、前記通常動作状態では、前記スイッチをオンさせて前記通常動作用電源供給手段から電源の供給を受け、前記動作待機状態では、前記スイッチをオフさせて前記動作待機用電源供給手段から電源の供給を受けることを特徴とする電子機器。
【請求項２】
前記動作待機用電源供給手段からの供給電圧は、前記逆流防止用ダイオードの電圧降下分だけ高めに設定されていることを特徴とする請求項１記載の電子機器。
【発明の詳細な説明】
【技術分野】
【０００１】
本発明は、通常状態と待機状態とを切り換え可能な電子機器に関し、特に通常動作用の電源供給手段と待機状態用の電源供給手段を備えている電子機器に関する。
【背景技術】
【０００２】
制御手段であるマイコンが搭載された電子機器は、一般的に、マイコンが被制御手段である周辺デバイスの制御を行う通常動作状態と、マイコンが周辺デバイスの制御を停止した動作待機状態とに切り換え可能に構成されており、動作待機状態では、できる限り消費電力を削減することが要求されている。
【０００３】
動作待機状態であっても、最低マイコンおよび周辺デバイスの一部への通電は行う必要あり、電源供給手段を一系統とし、通常動作用の電源供給手段を動作待機用に流用することが考えられる（例えば、特許文献１参照）。例えば、無線式リモコン操作による動作待機状態からの動作起動を可能とするためには、動作待機状態であっても、最低マイコンとリモコン信号を受信する受信回路とへの通電が必要となる。
【０００４】
電源供給手段は、一般的に、その電源供給能力が高いほど、ロスする消費電力も多くなり、通常動作用の電源供給手段を、動作待機用に流用すると、ロス電力により、動作待機状態での消費電力の削減要求を満たすことはできなくなってしまう場合がある。
【０００５】
図２乃至図４は、通常動作用および動作待機用の電源供給手段を有する従来の電子機器の構成を示すブロック図である。
そこで、動作待機状態での消費電力の更なる削減を図るために、電源供給能力を可能な限り低く抑えた動作待機用の電源供給手段を、通常動作用の電源供給手段とは別途に独立して備え、動作待機状態では、動作待機時用電源供給手段からマイコンに電源を供給し、通常動作状態では、マイコンへの電源供給を、より電源供給能力の高い通常動作用電源供給手段回路へ切り換えることが行われている。
【０００６】
図２には、マイコン１に通常動作用の電源を供給すると共に、周辺デバイス２に電源を供給する通常動作用電源供給回路３と、マイコン１に動作待機用の電源を供給する動作待機用電源供給回路４とを備えた従来の電子機器が示されており、通常動作用電源供給回路３から供給される電源は、逆流防止用ダイオード５を介してマイコン１の電源入力端子６に入力されると共に、周辺デバイス２の電源入力端子７にダイレクトに入力され、動作待機用電源供給回路４から供給される電源は、逆流防止用ダイオード８を介してマイコン１の電源入力端子６に入力されるように構成されている。
【０００７】
しかしながら、図２に示す従来の電子機器では、マイコン１と周辺デバイス２とに共通の電源供給手段である通常動作用電源供給回路３から電源が供給されるように構成されているが、通常動作用電源供給回路３からマイコン１に供給される電源は、逆流防止用ダイオード５によって電圧降下されるため、マイコン１と周辺デバイス２との制御信号レベルを合わせるために、レベルシフタ１１を介してマイコン１の信号端子９と周辺デバイス２の信号端子１０とを接続する必要があり、コストアップになってしまう。
【０００８】
また、図３には、マイコン１に通常動作用の電源を供給するマイコン用電源供給回路１２と、周辺デバイス２に電源を供給するシステム用電源供給回路１３と、マイコン１に動作待機用の電源を供給する動作待機用電源供給回路４とを備えた従来の電子機器が示されており、マイコン用電源供給回路１２から供給される電源は、逆流防止用ダイオード５を介してマイコン１の電源入力端子６に入力され、動作待機用電源供給回路４から供給される電源は、逆流防止用ダイオード８を介してマイコン１の電源入力端子６に入力されるように構成されている。
【０００９】
図３に示す従来の電子機器では、マイコン用電源供給回路１２の供給電圧を逆流防止用ダイオード５の電圧降下分だけ高めに設計することにより、マイコン１と周辺デバイス２との制御信号レベルを合わせるためのレベルシフタ１１を省略することができるが、２系統の通常動作用の電源供給手段が必要になるため、コストアップになってしまう。
【００１０】
さらに、図４には、マイコン１に通常動作用の電源を供給すると共に、周辺デバイス２に電源を供給する通常動作用電源供給回路３と、マイコン１に動作待機用の電源を供給する動作待機用電源供給回路４とを備えた従来の電子機器が示されており、通常動作用電源供給回路３から供給される電源は、マイコン１から制御可能なスイッチ１４を介してマイコン１の電源入力端子６に入力されると共に、周辺デバイス２の電源入力端子７にダイレクトに入力され、動作待機用電源供給回路４から供給される電源は、マイコン１から制御可能なスイッチ１５を介してマイコン１の電源入力端子６に入力されるように構成されている。
【００１１】
図４に示す従来の電子機器では、２系統の通常動作用の電源供給手段を設けることなく、マイコン１と周辺デバイス２との制御信号レベルを合わせるためのレベルシフタ１１を省略することができるが、通常動作状態と動作待機状態との切り換えに際し、２つのスイッチ１４、１５が必要となるためコストアップになるとともに、夫々のスイッチ制御のためマイコン１に負担が掛かってしまう。
【特許文献１】特開２０００−４７７４９号公報
【発明の開示】
【発明が解決しようとする課題】
【００１２】
本発明は斯かる問題点に鑑みてなされたものであり、その目的とするところは、制御手段と被制御手段との制御信号レベルを合わせるためのレベルシフタを用いることなく、制御手段および被制御手段に通常動作用の電源供給手段を共通化することができると共に、通常動作状態と動作待機状態との切り換えを最低限の素子にて構成可能な電子機器を提供する点にある。
【課題を解決するための手段】
【００１３】
本発明は上記課題を解決すべく、以下に掲げる構成とした。
本発明の電子機器は、制御手段と、当該制御手段によって制御される被制御手段とを有し、前記制御手段が前記被制御手段の制御を行う通常動作状態と、前記制御手段が前記被制御手段の制御を停止した動作待機状態とに切り換え可能に構成されている電子機器であって、前記制御手段から制御可能なスイッチを介して前記制御手段に通常動作用の電源を供給すると共に、前記被制御手段に電源を供給する通常動作用電源供給手段と、逆流防止用ダイオードを介して前記制御手段に動作待機用の電源を供給する動作待機用電源供給手段とを具備し、前記制御手段は、前記通常動作状態では、前記スイッチをオンさせて前記通常動作用電源供給手段から電源の供給を受け、前記動作待機状態では、前記スイッチをオフさせて前記動作待機用電源供給手段から電源の供給を受けることを特徴とする。
【００１４】
さらに、本発明の電子機器は、前記動作待機用電源供給手段からの供給電圧は、前記逆流防止用ダイオードの電圧降下分だけ高めに設定されていることを特徴とする。
【発明の効果】
【００１５】
本発明の電子機器は、制御手段から制御可能なスイッチを介して制御手段に通常動作用の電源を供給すると共に、被制御手段に電源を供給する通常動作用電源供給手段と、逆流防止用ダイオードを介して制御手段に動作待機用の電源を供給する動作待機用電源供給手段とを設け、通常動作状態では、スイッチをオンさせて通常動作用電源供給手段から制御手段に電源を供給させ、動作待機状態では、スイッチをオフさせて動作待機用電源供給手段から制御手段に電源を供給させるように構成することにより、通常動作用電源供給手段から制御手段に供給される電源に電圧降下が生じず、通常動作用電源供給手段から通常動作用の電源の供給を受ける制御手段および被制御手段の電源電圧を同一にできるため、制御手段と被制御手段との制御信号レベルを合わせるためのレベルシフタを用いることなく、制御手段および被制御手段に通常動作用の電源を供給する電源供給手段を共通化することができると共に、通常動作用電源供給手段から制御手段への電源供給路に設けられたスイッチを切り換えるだけで、通常動作状態と動作待機状態との切り換えを行うことができるため、通常動作状態と動作待機状態との切り換えを最低限の素子にて構成可能するという効果を奏する。
【発明を実施するための最良の形態】
【００１６】
以下、本発明の実施の形態を図面に基づいて詳細に説明する。
【００１７】
図１は、本発明に係る電子機器の実施の形態の構成を示すブロック図である。
【００１８】
本実施の形態は、例えばＭＤプレイヤ、ＤＶＤプレイヤ等の電子機器であり、図１を参照すると、制御手段であるマイコン１と、マイコン１によって制御される被制御手段である周辺デバイス２と、マイコン１に通常動作用の電源を供給すると共に、周辺デバイス２に電源を供給する通常動作用電源供給回路３と、マイコン１に動作待機用の電源を供給する動作待機用電源供給回路４とを備えている。なお、電子機器がＭＤプレイヤである場合には、情報読み取り部、信号増幅部、音声出力部、リモコン信号受信回路等が周辺デバイス２に該当する。
【００１９】
通常動作用電源供給回路３から供給される電源は、マイコン１から制御可能なスイッチ１４を介してマイコン１の電源入力端子６に入力されると共に、周辺デバイス２の電源入力端子７にダイレクトに入力されるように構成されている。また、動作待機用電源供給回路４から供給される電源は、逆流防止用ダイオード８を介してマイコン１の電源入力端子６に入力されるように構成され、動作待機用電源供給回路４からの供給電圧は、逆流防止用ダイオード８の電圧降下分だけ高めに設定されている。
【００２０】
通常動作状態では、マイコン１の制御によってスイッチ１４がオンされ、通常動作用電源供給回路３からマイコン１の電源入力端子６に電源が供給される。従って、マイコン１と周辺デバイス２には、通常動作用電源供給回路３から同じ電圧が供給されることになるため、マイコン１および周辺デバイス２の制御信号レベルが同一になり、レベルシフタを設けることなくマイコン１の信号端子９と周辺デバイス２の信号端子１０とが接続されている。また、通常動作用電源供給回路３から動作待機用電源供給回路４への電流の逆流は、逆流防止用ダイオード８によって防止されている。
【００２１】
動作待機状態では、マイコン１の制御によってスイッチ１４がオフされ、動作待機用電源供給回路４からマイコン１の電源入力端子６に電源が供給される。動作待機用電源供給回路４からの供給電圧は、逆流防止用ダイオード８の電圧降下分だけ高めに設定されているため、マイコン１の電源電圧を通常動作時と同一にできる。
【００２２】
以上説明したように、本実施の形態によれば、マイコン１から制御可能なスイッチ１４を介してマイコン１に通常動作用の電源を供給すると共に、周辺デバイス２に電源を供給する通常動作用電源供給回路３と、逆流防止用ダイオード８を介してマイコン１に動作待機用の電源を供給する動作待機用電源供給回路４とを設け、マイコン１は、通常動作状態では、スイッチ１４をオンさせて通常動作用電源供給回路３から電源の供給を受け、動作待機状態では、スイッチ１４をオフさせて動作待機用電源供給回路４から電源の供給を受けるように構成することにより、通常動作用電源供給回路３からマイコン１に供給される電源に電圧降下が生じず、通常動作用電源供給回路３から通常動作用の電源の供給を受けるマイコン１および周辺デバイス２の電源電圧を同一にできるため、マイコン１と周辺デバイス２との制御信号レベルを合わせるためのレベルシフタを用いることなく、制御手段および周辺デバイス２に通常動作用の電源を供給する電源供給手段を共通化することができると共に、通常動作用電源供給回路３からマイコン１への電源供給路に設けられたスイッチ１４を切り換えるだけで、通常動作状態と動作待機状態との切り換えを行うことができるため、通常動作状態と動作待機状態との切り換えを最低限の素子にて構成可能するという効果を奏する。
【００２３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２４】
【図１】本発明に係る電子機器の実施の形態の構成を示すブロック図である。
【図２】通常動作用および動作待機用の電源供給手段を有する従来の電子機器の構成を示すブロック図である。
【図３】通常動作用および動作待機用の電源供給手段を有する従来の電子機器の構成を示すブロック図である。
【図４】通常動作用および動作待機用の電源供給手段を有する従来の電子機器の構成を示すブロック図である。
【符号の説明】
【００２５】
１  マイコン
２  周辺デバイス
３  通常動作用電源供給回路
４  動作待機用電源供給回路
５  逆流防止用ダイオード
６  電源入力端子
７  電源入力端子
８  逆流防止用ダイオード
９  信号端子
１０  信号端子
１１  レベルシフタ
１２  マイコン用電源供給回路
１３  システム用電源供給回路
１４  スイッチ
１５  スイッチ
【図１】
2007293578.tif 000003
【図２】
2007293578.tif 000004
【図３】
2007293578.tif 000005
【図４】
2007293578.tif 000006